(57)【要約】【課題】  罫線を有する帳票のイメージデータから罫線パタンを抽出し、抽出した罫線パタンに基づいて帳票形式を識別する帳票処理装置において、帳票の全体が含まれないイメージデータであっても帳票形式の識別性能を向上し得る帳票処理装置を提供する。【解決手段】  帳票の外形寸法によって影響を受ける特徴情報を生成する生成部を備える帳票処理装置において、帳票イメージデータから帳票全体のイメージが取得されているか否かを判定するはみ出し判定部と、帳票全体のイメージが取得されていないと判定すると、帳票イメージデータに所定寸法の補完イメージデータを付加して補完画像データを生成する画像補完処理部とを含み、該補完画像データを生成部に供給する。【選択図】    図１
2008250425.tif 000002
【特許請求の範囲】
【請求項１】
帳票の外形寸法によって影響を受ける特徴情報を生成する生成部を備える帳票処理装置において、
前記帳票イメージデータから帳票全体のイメージが取得されているか否かを判定するはみ出し判定部と、
帳票全体のイメージが取得されていないと判定すると、前記帳票イメージデータに所定寸法の補完イメージデータを付加して補完画像データを生成する画像補完処理部とを含み、
該補完画像データを前記生成部に供給することを特徴とする帳票処理装置。
【請求項２】
前記帳票処理装置は、帳票毎の特徴情報が登録されている特徴情報格納部と、前記生成された特徴情報と前記特徴情報格納部の登録特徴情報とを比較して帳票形式を判定する判定部と、を更に有することを特徴とする請求項１に記載の帳票処理装置。
【請求項３】
前記特徴情報は、帳票の罫線特徴情報であることを特徴とする請求項１及び２のいずれかに記載の帳票処理装置。
【請求項４】
前記生成部は、罫線の設けられている帳票から取得した帳票イメージデータをＮ×Ｍのマトリクスで複数に分割し、各分割ブロック毎の罫線の特徴を示す罫線特徴情報を生成することを特徴とする請求項１乃至３のいずれかに記載の帳票処理装置。
【請求項５】
前記罫線特徴情報格納部の前記登録特徴情報は、前記はみ出し判定部及び前記画像補完処理部を介して得た補完画像データに基づいて生成されていることを特徴とする請求項１乃至４のいずれかに記載の帳票処理装置。
【請求項６】
前記補完画像データを罫線のみを示す罫線パタン画像に変換して前記生成部に供給する罫線パタン画像生成部と、を更に含むことを特徴とする請求項１乃至５のいずれかに記載の帳票処理装置。
【発明の詳細な説明】
【技術分野】
【０００１】
本発明は、罫線を有する帳票のイメージデータから罫線パタンを抽出し、抽出した罫線パタンに基づいて帳票形式の識別を行う帳票処理装置に関する。
【背景技術】
【０００２】
従来、金融機関等で導入されている罫線を有する帳票のイメージデータから罫線パタンを抽出し、抽出した罫線パタンに基づいて帳票形式を識別する帳票処理装置が知られている。例えば文献１に開示されているように、先ず、所定の帳票から抽出した罫線パタンの画像をＮ×Ｍのマトリクスで分割し、各分割領域内の罫線パタンから各罫線の特徴を抽出し、これらＮ×Ｍ個の罫線の特徴から成る帳票フォーマットである罫線特徴情報を生成する。そして、上記装置では、処理すべき帳票のイメージデータを受けると、同様の手順で予め帳票を識別するための帳票識別番号と対応させて記憶部に登録した複数の罫線特徴情報と、当該罫線特徴情報とを照合して、照合一致率が閾値以上の帳票識別番号を識別判定の結果として出力する。
【特許文献１】特開平９−２５９２２１号公報
【発明の開示】
【発明が解決しようとする課題】
【０００３】
しかしながら、帳票には、例えば税公金の帳票のように納入済通知書や原符、領収書などから構成されているため横に長く、スキャナの撮影領域内に帳票の全体が収まらないものがある。このような帳票をスキャナで読み取ると、読み取る毎にイメージデータに含まれる帳票領域のサイズが変動する。そのため、上記装置のように罫線パタンの画像をＮ×Ｍのマトリクスで分割してＮ×Ｍ個の罫線の特徴から成る罫線特徴情報を生成する装置では、帳票の全体が含まれないイメージデータの場合には、罫線パタンの分割寸法が変化するため、識別成功率が低くなる欠点があった。
【０００４】
以上の問題点に鑑み、本発明の目的は、罫線を有する帳票のイメージデータから罫線パタンを抽出し、抽出した罫線パタンに基づいて帳票形式を識別する帳票処理装置において、帳票の全体が含まれないイメージデータであっても帳票形式の識別性能を向上し得る帳票処理装置を提供することにある。
【課題を解決するための手段】
【０００５】
本発明は、以上の点を解決するために、次の構成を採用する。
本発明の帳票処理装置は、帳票の外形寸法によって影響を受ける特徴情報を生成する生成部を備える帳票処理装置において、帳票イメージデータから帳票全体のイメージが取得されているか否かを判定するはみ出し判定部と、帳票全体のイメージが取得されていないと判定すると、帳票イメージデータに所定寸法の補完イメージデータを付加して補完画像データを生成する画像補完処理部とを含み、該補完画像データを生成部に供給することを特徴とする。
【０００６】
上記構成において、帳票処理装置は、帳票毎の特徴情報が登録されている特徴情報格納部と、生成された特徴情報と特徴情報格納部の登録特徴情報とを比較して帳票形式を判定する判定部と、を更に有することを特徴とする。
【０００７】
特徴情報は、帳票の罫線特徴情報であることを特徴とする。
【０００８】
生成部は、罫線の設けられている帳票から取得した帳票イメージデータをＮ×Ｍのマトリクスで複数に分割し、各分割ブロック毎の罫線の特徴を示す罫線特徴情報を生成することを特徴とする。
【０００９】
罫線特徴情報格納部の登録特徴情報は、はみ出し判定部及び画像補完処理部を介して得た補完画像データに基づいて生成されていることを特徴とする。
【００１０】
補完画像データを罫線のみを示す罫線パタン画像に変換して生成部に供給する罫線パタン画像生成部と、を更に含むことを特徴とする。
【発明の効果】
【００１１】
本発明によれば、罫線を有する帳票のイメージデータから罫線パタンを抽出し、抽出した罫線パタンに基づいて帳票形式を識別する帳票処理装置において、帳票の全体が含まれないイメージデータに画像データを補完するようにしたので、帳票形式を識別する場合における識別性能を向上することができる。
【００１２】
以下、本発明の実施形態について実施例を用いて詳細に説明する。
【実施例】
【００１３】
＜実施例の構成＞
本発明の実施例の帳票処理装置１００は、図１に示すように、ネットワーク１０を介して画像読取装置２００に接続されている。ここで、帳票処理装置１００は、例えば金融機関に設置され、帳票１に記載されている罫線パタンに基づいて、帳票形式を識別する処理に用いられる。
【００１４】
画像読取装置２００は、帳票１を光学的に読み取り、イメージデータとして出力する装置である。即ち、画像読取装置２００は、帳票処理装置１００から後述する画像要求信号を受けると、装置の図示しない読取部にセットされた帳票１を光学的に走査して、量子化された例えば白黒２値の電気信号から成るイメージデータを生成する。このイメージデータでは、帳票１の罫線及び文字などは黒ビット、帳票１の紙面部分は白ビットで表される。また、上記イメージデータでは、帳票１の領域を除く背景領域は黒ビットで表される。ここで、画像読取装置２００は、例えばスタンド型スキャナである。そして、画像読取装置２００で生成したイメージデータは、図示しない制御部の制御により、帳票処理装置１００に送信される。
【００１５】
帳票処理装置１００は、オペレータが帳票１のイメージデータから帳票１の帳票形式を登録及び識別するために操作する装置であり、ネットワーク１０を介して画像読取装置２００と接続されている通信部１０１と、装置全体を制御する制御部１０２と、一時記憶部１０３と、表示部１０４と、入力部１０５と、イメージデータ記憶部１０６と、はみ出し判定部１０７と、画像補完処理部１０８と、罫線パタン画像生成部１０９と、罫線特徴情報生成部１１０と、登録罫線特徴情報ＤＢ１１１と、登録罫線特徴情報管理部１１２と、帳票形式判定部１１３とを備える。
【００１６】
イメージデータ記憶部１０６は、画像読取装置２００から取得したイメージデータを記憶する記憶部である。
【００１７】
帳票処理装置１００を操作するオペレータが入力部１０５に備えるキーボードを介して画像読取装置２００にセットされた帳票１のイメージデータ読み取りを指示すると、制御部１０２は、画像要求信号を生成し、生成した画像要求信号を画像読取装置２００に送信する。
【００１８】
制御部１０２は、上記画像要求信号の返答として、画像読取装置２００からイメージデータを取得すると、取得したイメージデータをイメージデータ記憶部１０６に記憶する。そして、制御部１０２は、イメージデータを記憶すると、図示しないメモリの制御プログラムを実行し、オペレータに該イメージデータを参照させるためのイメージデータ表示画面を表示部１０４に備えるディスプレイに表示させる。
【００１９】
帳票処理装置１００を操作するオペレータが上記イメージデータ表示画面に表示された帳票１が登録用帳票の場合、このイメージデータに対し、入力部１０５に備えるキーボードを介して帳票形式の登録を指示すると、制御部１０２は、図示しないメモリの制御プログラムを実行し、オペレータに帳票１を識別するための帳票識別番号を入力させるための帳票識別番号入力指示画面を表示部１０４に備えるディスプレイに表示させる。
【００２０】
そして、オペレータが、帳票処理装置１００の表示部１０４に表示された帳票識別番号入力指示画面を参照し、帳票１を識別するための帳票識別番号を入力部１０５に備えるキーボードから入力して該帳票識別番号入力指示画面上の例えば「登録」ボタンを押下すると、制御部１０２は、取得した帳票識別番号を一時記憶部１０３に記憶すると共に、はみ出し判定部１０７に登録用の帳票１のイメージデータのはみ出し判定を指示する。本実施例では、オペレータが登録時に帳票１を識別するための帳票識別番号を入力部１０５を介して入力するようにしたが、登録用の帳票１自体に予め帳票識別番号（帳票ＩＤなど）が付与されていて図示しない帳票識別部が帳票１の形式の識別を自動的に行うようにしてもよい。
【００２１】
一方、帳票処理装置１００を操作するオペレータが上記イメージデータ表示画面に表示された処理対象としての識別用の帳票１のイメージデータに対し、入力部１０５に備えるキーボードを介して帳票形式の判定を指示すると、制御部１０２は、はみ出し判定部１０７に識別用の帳票１のイメージデータのはみ出し判定を指示する。
【００２２】
はみ出し判定部１０７は、イメージデータに含まれる帳票の領域から、画像読取装置２００における帳票１の読み取りにおいて、この帳票１の全体が図２に示すように、装置の撮影領域内に収まらずにはみ出していたか否かを判定する判定部である。即ち、はみ出し判定部１０７は、はみ出し判定の指示を受けると、一時記憶部１０３で保持するイメージデータを走査して、図３に示すように、イメージデータの画像端に白画素が存在すると、はみ出し有りと判定する。はみ出し判定部１０７がはみ出し有りと判定すると、制御部１０２は、画像補完処理部１０８に画像補完処理を指示する。
【００２３】
一方、はみ出し判定部１０７は、イメージデータの画像端に白画素が存在しないと、はみ出し無しと判定する。はみ出し判定部１０７がはみ出し無しと判定すると、制御部１０２は、罫線パタン画像生成部１０９に罫線パタン画像の生成を指示すると共に、イメージデータ記憶部１０６で保持するイメージデータを転送する。
【００２４】
画像補完処理部１０８は、図２に示すように帳票１が長さ寸法が大きいためにはみ出し部分が生じ、これにより帳票１のサイズが不明な図３に示すような帳票途中領域のイメージデータが得られた場合、この帳票途中領域の長さ方向のサイズが予め設定した例えば図６に示すようなＡ４横のサイズ（２１０ｍｍ）になるよう、補完すべき補完領域を生成し、帳票途中領域にこの補完領域を合わせた補完画像データを生成する処理部である。即ち、画像補完処理部１０８は、画像補完処理の指示を受けると、先ず、一時記憶部１０３で保持するイメージデータを走査して、図４に示すような帳票途中領域を構成する４頂点「ＬＴ（ＬＴｘ、ＬＴｙ）、ＬＢ（ＬＢｘ、ＬＢｙ）、ＲＴ（ＲＴｘ、ＲＴｙ）、ＲＢ（ＲＢｘ、ＲＢｙ）」を取得すると共に、イメージデータの画像右端に白画素が存在するため、はみ出し方向＝右を取得する。
【００２５】
次に、画像補完処理部１０８は、イメージデータの帳票途中領域の長さ方向のサイズを算出し、予め設定されたＡ４横のサイズ（２１０ｍｍ）と、該帳票途中領域の長さ方向のサイズとの差分により、補完領域の長さ方向のサイズを算出する。ここで、２１０ｍｍは、例えば解像度２４０ｄｐｉの画像上では、２１０×２４０／２５．４≒１９８４ｄｏｔになるので、帳票途中領域の長さ方向のサイズが例えば１５００ｄｏｔであると、画像補完処理部１０８は、補完領域の長さ方向のサイズ：１９８４ｄｏｔ−１５００ｄｏｔ＝４８４ｄｏｔであると算出する。
【００２６】
そして、画像補完処理部１０８は、補完領域の長さ寸法のサイズ（４８４ｄｏｔ）を算出すると、図５に示すような４頂点の座標「ＲＴ（ＲＴｘ、ＲＴｙ）、ＲＢ（ＲＢｘ、ＲＢｙ）、Ｒ´Ｔ（ＲＴｘ＋４８４、ＲＴｙ）、Ｒ´Ｂ（ＲＢｘ＋４８４、ＲＢｙ）」で構成される補完領域を生成する。ここで、補完領域は、全て白画素で構成される。
【００２７】
画像補完処理部１０８は、上記補完領域を生成すると、イメージデータの帳票途中領域に該補完領域を合わせた図６に示すような補完画像データを生成する。ここで、補完画像データでは、帳票領域を除く背景部分は全て黒画素で構成される。
【００２８】
画像補完処理部１０８が補完画像データを生成すると、制御部１０２は、補完画像データを一時記憶部１０３に記憶する。そして、制御部１０２は、補完画像データを記憶すると、罫線パタン画像生成部１０９に罫線パタン画像の生成を指示すると共に、補完画像データを転送する。
【００２９】
罫線パタン画像生成部１０９は、イメージデータ記憶部１０６で保持するイメージデータ及び上記補完画像データのいずれかに含まれる文字等を除く罫線部分のみを抽出して罫線パタンのみを示す罫線パタン画像データを生成する生成部である。即ち、罫線パタン画像生成部１０９は、罫線パタン画像情報の生成の指示と共に登録用の帳票１のイメージデータを受けると、このイメージデータを走査して罫線部分を抽出し、帳票１の罫線を黒ビット、帳票１の紙面部分を白ビット、帳票１の領域を除く背景を黒ビットで表す罫線パタン画像データを生成する。ここで、罫線パタン画像データの生成の詳細については、引用文献１に記載されているので、説明を割愛する。
【００３０】
このように、罫線パタン画像生成部１０９は、罫線パタン画像情報の生成の指示と共に補完画像データを受けると、この補完画像データを走査して罫線部分を抽出し、帳票１の罫線を黒ビット、帳票１の紙面部分を白ビット、帳票１の領域を除く背景を黒ビットで表す罫線パタン画像データを生成する
【００３１】
罫線パタン画像生成部１０９が罫線パタン画像データを生成すると、制御部１０２は、生成した罫線パタン画像データを一時記憶部１０３に記憶すると共に、罫線特徴情報生成部１１０に罫線特徴情報の生成を指示する。
【００３２】
罫線特徴情報生成部１１０は、上記罫線パタン画像データの帳票領域をＮ×Ｍのマトリクスで分割し、各分割領域毎の罫線パタンの特徴を示す罫線特徴を求め、これらＮ×Ｍ個の罫線特徴から成る罫線特徴情報を生成する生成部である。即ち、罫線特徴情報生成部１１０は、罫線特徴情報の生成の指示を受けると、一時記憶部１０３で保持する罫線パタン画像データの帳票領域を予め設定したＮ×Ｍのマトリクスに分割し、各分割領域毎の罫線パタンの特徴を示す罫線特徴（罫線の形状、本数、長さ（座標）など）を求め、これらＮ×Ｍ個の罫線特徴から成る罫線特徴情報を生成する。ここで、罫線特徴情報生成の詳細については、引用文献１に記載されているので、説明を割愛する。
【００３３】
罫線特徴情報生成部１１０が罫線特徴情報を生成すると、制御部１０２は、罫線特徴情報を一時記憶部１０３に記憶する。
【００３４】
そして、制御部１０２は、罫線特徴情報を記憶すると、帳票形式の登録に基づく帳票処理を行っている場合には、登録罫線特徴情報管理部１１２に罫線特徴情報の登録を指示する。
【００３５】
一方、制御部１０２は、帳票形式の判定に基づく帳票処理を行っている場合には、帳票形式判定部１１３に帳票形式の判定を指示する。
【００３６】
登録罫線特徴情報ＤＢ１１１は、各種登録用の帳票１のイメージデータから取得した罫線特徴情報に各種帳票を識別するためのオペレータが入力部１０５を介して入力した帳票識別番号を対応させて登録罫線特徴情報として記憶するデータベースである。
【００３７】
登録罫線特徴情報管理部１１２は、登録罫線特徴情報ＤＢ１１１で保持する登録罫線特徴情報を管理する管理部である。即ち、登録罫線特徴情報管理部１１２は、罫線特徴情報の登録の指示を受けると、一時記憶部１０３で保持する帳票識別番号と、罫線特徴情報とを対応付けた登録罫線特徴情報を登録罫線特徴情報ＤＢ１１１に新規登録する。
【００３８】
登録罫線特徴情報管理部１１２が登録罫線特徴情報を新規登録すると、制御部１０２は、図示しないメモリのプログラムを実行し、オペレータにある帳票識別番号の罫線特徴情報を登録が完了したことを通知するための罫線特徴情報登録完了通知画面を表示部１０４に備えるディスプレイに表示させる。
【００３９】
そして、オペレータは、帳票処理装置１００の表示部１０４に表示された罫線特徴情報登録完了通知画面を参照すると、ある帳票識別番号の帳票形式の登録が完了したことを把握する。
【００４０】
帳票形式判定部１１３は、罫線特徴情報生成部１１０で生成した罫線特徴情報と、登録罫線特徴情報ＤＢ１１１で保持する登録罫線特徴情報とを照合して、予め設定した閾値以上の一致率になった登録罫線特徴情報の帳票識別番号を判定結果として出力する判定部である。即ち、帳票形式判定部１１３は、帳票形式の判定の指示を受けると、一時記憶部１０３で保持する罫線特徴情報と、登録罫線特徴情報ＤＢ１１１で保持する登録罫線特徴情報とを照合して照合一致率が予め設定した閾値以上である登録罫線特徴情報の帳票識別番号を判定結果として出力する。ここで、罫線特徴情報の照合の詳細については、引用文献１に記載されているので、説明を割愛する。
【００４１】
一方、帳票形式判定部１１３は、罫線特徴情報と、登録罫線特徴情報ＤＢ１１１で保持する全ての登録罫線特徴情報の照合一致率が閾値より小さいと、識別不可という判定結果を出力する。
【００４２】
帳票形式判定部１１３が帳票識別番号を示す判定結果を出力すると、制御部１０２は、図示しないメモリのプログラムを実行し、オペレータに帳票形式の判定結果として該帳票識別番号を通知するための帳票識別番号通知画面を表示部１０４に備えるディスプレイに表示する。
【００４３】
オペレータは、帳票処理装置１００の表示部１０４に表示された帳票識別番号通知画面を参照することにより、表示部１０４に表示されたイメージデータに含まれる識別用の帳票１の帳票形式を把握する。
【００４４】
一方、帳票形式判定部１１３が認証不可を示す判定結果を出力すると、制御部１０２は、図示しないメモリのプログラムを実行し、オペレータに帳票形式の判定結果として帳票１の認証が不可であったことを通知するための帳票形式認証不可通知画面を表示部１０４に備えるディスプレイに表示する。
【００４５】
オペレータは、帳票処理装置１００の表示部１０４に表示された帳票形式認証不可通知画面を参照することにより、表示部１０４に表示されたイメージデータに含まれる帳票１の帳票形式が認識不可であることを把握する。
【００４６】
＜実施例の動作＞
次に、本発明の帳票処理装置１００の実施例の動作を説明する。
【００４７】
先ず、登録用の帳票１のイメージデータに基づいて帳票形式の登録処理を行う場合の動作について、図７及び図８のフローチャートを用いて説明する。
【００４８】
帳票処理装置１００を操作するオペレータが入力部１０５に備えるキーボードを介して画像読取装置２００にセットされた罫線のみが印刷された登録用の帳票１のイメージデータ読み取りを指示すると、制御部１０２は、画像要求信号を生成し、生成した画像要求信号を画像読取装置２００に送信する。
【００４９】
画像読取装置２００は、帳票処理装置１００から画像要求信号を受けると、装置の図示しない読取部にセットされた登録用の帳票１を光学的に走査して、帳票１の罫線部分が黒ビット、帳票１の紙面部分が白ビットで表される量子化された白黒２値の電気信号から成るイメージデータを生成する。そして、画像読取装置２００で生成したイメージデータは、図示しない制御部の制御により、帳票処理装置１００に送信される。
【００５０】
帳票処理装置１００の制御部１０２は、通信部１０１を介して上記イメージデータを取得すると、取得した登録用の帳票１のイメージデータをイメージデータ記憶部１０６に記憶する（ステップＳ１０１）。そして、制御部１０２は、イメージデータを記憶すると、図示しないメモリの制御プログラムを実行し、オペレータに該イメージデータを参照させるためのイメージデータ表示画面を表示部１０４に備えるディスプレイに表示させる。
【００５１】
帳票処理装置１００を操作するオペレータが上記イメージデータ表示画面に表示された登録用の帳票１のイメージデータに対し、入力部１０５に備えるキーボードを介して帳票形式の登録を指示すると、制御部１０２は、図示しないメモリの制御プログラムを実行し、オペレータに帳票１を識別するための帳票識別番号を入力させるための帳票識別番号入力指示画面を表示部１０４に備えるディスプレイに表示させる。
【００５２】
そして、オペレータが、帳票処理装置１００の表示部１０４に表示された帳票識別番号入力指示画面を参照し、帳票１を識別するための帳票識別番号を入力部１０５に備えるキーボードから入力して該帳票識別番号入力指示画面上の例えば「登録」ボタンを押下すると（ステップＳ１０２）、制御部１０２は、取得した帳票識別番号を一時記憶部１０３に記憶すると共に、はみ出し判定部１０７にイメージデータのはみ出し判定を指示する。本実施例では、オペレータが登録時に帳票１を識別するための帳票識別番号を入力部１０５を介して入力するようにしたが、登録用の帳票１自体に予め帳票識別番号（帳票ＩＤなど）が付与されていて図示しない帳票識別部が帳票１の形式の識別を自動的に行うようにしてもよい。
【００５３】
はみ出し判定部１０７は、はみ出し判定の指示を受けると、一時記憶部１０３で保持するイメージデータを走査して、図３に示すように、イメージデータの画像端に白画素が存在すると（ステップＳ１０３）、はみ出し有と判定する（ステップＳ１０４）。はみ出し判定部１０７がはみ出し有と判定すると、制御部１０２は、画像補完処理部１０８に画像補完処理を指示する。
【００５４】
一方、はみ出し判定部１０７は、イメージデータの画像端に白画素が存在しないと、はみ出し無と判定する。はみ出し判定部１０７がはみ出し無と判定すると（ステップＳ１０５）、制御部１０２は、罫線パタン画像生成部１０９に罫線パタン画像の生成を指示すると共に、イメージデータ記憶部１０６で保持するイメージデータを転送する。
【００５５】
罫線パタン画像生成部１０９は、罫線パタン画像情報の生成の指示及びイメージデータを受けると、このイメージデータを走査して罫線部分を抽出し、罫線パタン画像データを生成する（ステップＳ１０６）。
【００５６】
画像補完処理部１０８は、画像補完処理の指示を受けると、先ず、一時記憶部１０３で保持するイメージデータを走査して、図４に示すような帳票途中領域を構成する４頂点「ＬＴ（ＬＴｘ、ＬＴｙ）、ＬＢ（ＬＢｘ、ＬＢｙ）、ＲＴ（ＲＴｘ、ＲＴｙ）、ＲＢ（ＲＢｘ、ＲＢｙ）」を取得すると共に、イメージデータの画像右端に白画素が存在するため、はみ出し方向＝右を取得する（ステップＳ１０７）。
【００５７】
次に、画像補完処理部１０８は、イメージデータの帳票途中領域の長さ方向のサイズを算出し、予め設定されたＡ４横のサイズ（２１０ｍｍ）と、該帳票途中領域の長さ方向のサイズとの差分により、この２１０ｍｍは、例えば解像度２４０ｄｐｉの画像上では、２１０×２４０／２５．４≒１９８４ｄｏｔになるので、帳票途中領域の長さ方向のサイズが例えば１５００ｄｏｔであると、補完領域の長さ方向のサイズ：１９８４ｄｏｔ−１５００ｄｏｔ＝４８４ｄｏｔであると算出する（ステップＳ１０８）。
【００５８】
そして、画像補完処理部１０８は、補完領域の長さ寸法のサイズ（４８４ｄｏｔ）を算出すると、図５に示すような４頂点の座標「ＲＴ（ＲＴｘ、ＲＴｙ）、ＲＢ（ＲＢｘ、ＲＢｙ）、Ｒ´Ｔ（ＲＴｘ＋４８４、ＲＴｙ）、Ｒ´Ｂ（ＲＢｘ＋４８４、ＲＢｙ）」で構成される補完領域を生成する（ステップＳ１０９）。ここで、補完領域は、全て白画素で構成される。
【００５９】
画像補完処理部１０８は、上記補完領域を生成すると、イメージデータの帳票途中領域に該補完領域を合わせた図６に示すような補完画像データを生成する（ステップＳ１１０）。ここで、補完画像データでは、帳票領域を除く背景部分は全て黒画素で構成される。
【００６０】
画像補完処理部１０８が補完画像データを生成すると、制御部１０２は、補完画像データを一時記憶部１０３に記憶する。そして、制御部１０２は、補完画像データを記憶すると、罫線パタン画像生成部１０９に罫線パタン画像の生成を指示すると共に、補完画像データを転送する。
【００６１】
罫線パタン画像生成部１０９は、罫線パタン画像情報の生成の指示及び補完画像データを受けると、補完画像データを走査して罫線部分を抽出し、罫線パタン画像データを生成する（ステップＳ１１１）。
【００６２】
罫線パタン画像生成部１０９が罫線パタン画像データを生成すると、制御部１０２は、生成した罫線パタン画像データを一時記憶部１０３に記憶する。そして、制御部１０２は、罫線パタン画像データを記憶すると、罫線特徴情報生成部１１０に罫線特徴情報の生成を指示すると共に、罫線パタン画像データを転送する。
【００６３】
罫線特徴情報生成部１１０は、罫線特徴情報の生成の指示及び罫線パタン画像データを受けると、罫線パタン画像データの帳票領域を予め設定したＮ×Ｍのマトリクスに分割し、各分割領域毎の罫線パタンの特徴を示す罫線特徴（罫線の形状、本数、長さ（座標）など）を求め、これらＮ×Ｍ個の罫線特徴から成る罫線特徴情報を生成する（ステップＳ１１２）。
【００６４】
罫線特徴情報生成部１１０が罫線特徴情報を生成すると、制御部１０２は、罫線特徴情報を一時記憶部１０３に記憶する。
【００６５】
そして、制御部１０２は、罫線特徴情報を記憶すると、帳票形式の登録に基づく帳票処理を行っている場合には、登録罫線特徴情報管理部１１２に罫線特徴情報の登録を指示する。
【００６６】
登録罫線特徴情報管理部１１２は、罫線特徴情報の登録の指示を受けると、一時記憶部１０３で保持する帳票識別番号と、罫線特徴情報とを対応付けた登録罫線特徴情報を登録罫線特徴情報ＤＢ１１１に新規登録する（ステップＳ１１３）。
【００６７】
登録罫線特徴情報管理部１１２が登録罫線特徴情報を新規登録すると、制御部１０２は、図示しないメモリのプログラムを実行し、オペレータにある帳票識別番号の罫線特徴情報を登録が完了したことを通知するための罫線特徴情報登録完了通知画面を表示部１０４に備えるディスプレイに表示させる（ステップＳ１１４）。
【００６８】
そして、オペレータは、帳票処理装置１００の表示部１０４に表示された罫線特徴情報登録完了通知画面を参照すると、ある帳票識別番号の罫線特徴情報の登録が完了したことを把握する。
【００６９】
次に、識別用の帳票１のイメージデータに基づいて帳票形式の認識処理を行う場合の動作について図９及び図１０のフローチャートを用いて説明する。
【００７０】
実施例のステップＳ２０１の動作は、実施例のステップＳ１０１の動作と同じである。
【００７１】
帳票処理装置１００を操作するオペレータが表示部１０４上のイメージデータ表示画面に表示された識別用の帳票１のイメージデータに対し、入力部１０５に備えるキーボードを介して帳票形式の判定を指示すると（ステップＳ２０２）、制御部１０２は、はみ出し判定部１０７にイメージデータのはみ出し判定を指示する。
【００７２】
実施例のステップＳ２０３〜２１２の動作は、実施例のステップＳ１０３〜Ｓ１１２の動作と同じである。
【００７３】
帳票処理装置１００の制御部１０２は、帳票形式の判定に基づく帳票処理を行っている場合には、帳票形式判定部１１３に帳票形式の判定を指示する。
【００７４】
帳票形式判定部１１３は、帳票形式の判定の指示を受けると、一時記憶部１０３で保持する罫線特徴情報と、登録罫線特徴情報ＤＢ１１１で保持する登録罫線特徴情報とを照合する（ステップＳ２１３）。そして、帳票形式判定部１１３は、上記罫線特徴情報と登録罫線特徴情報とを照合して照合一致率が予め設定した閾値以上である登録罫線特徴情報が存在すると（ステップＳ２１４）、その登録罫線特徴情報の帳票識別番号を判定結果として出力する。
【００７５】
帳票形式判定部１１３が帳票識別番号を示す判定結果を出力すると、制御部１０２は、図示しないメモリのプログラムを実行し、オペレータに帳票形式の判定結果として該帳票識別番号を通知するための帳票識別番号通知画面を表示部１０４に備えるディスプレイに表示する（ステップＳ２１５）。
【００７６】
オペレータは、帳票処理装置１００の表示部１０４に表示された帳票識別番号通知画面を参照することにより、表示部１０４に表示されたイメージデータに含まれる識別用の帳票１の帳票形式を把握する。
【００７７】
一方、帳票形式判定部１１３は、罫線特徴情報と、登録罫線特徴情報ＤＢ１１１で保持する全ての登録罫線特徴情報の照合一致率が閾値より小さいと、識別不可という判定結果を出力する。
【００７８】
帳票形式判定部１１３が認証不可を示す判定結果を出力すると、制御部１０２は、図示しないメモリのプログラムを実行し、オペレータに帳票形式の判定結果として帳票１の認証が不可であったことを通知するための帳票形式認証不可通知画面を表示部１０４に備えるディスプレイに表示する（ステップＳ２１６）。
【００７９】
オペレータは、帳票処理装置１００の表示部１０４に表示された帳票形式認証不可通知画面を参照することにより、表示部１０４に表示されたイメージデータに含まれる識別用の帳票１の帳票形式が認識不可であることを把握する。
【００８０】
＜実施例の効果＞
本発明の実施例の帳票処理装置１００によると、画像読取装置２００の撮影視野内に帳票の全体が収まらない帳票１のイメージデータの場合、画像補完処理部１０８において、イメージデータ内の帳票途中領域を予め設定した規定サイズの領域になるよう、補完すべき領域である補完領域を補完して規定サイズの補完帳票領域を有する補完画像データを生成するので、登録罫線特徴情報ＤＢ１１１に記憶する罫線特徴情報及び識別対象の罫線特徴情報の質を向上することができると共に、帳票形式の識別性能を向上することができる。
【００８１】
尚、本実施例では、帳票処理装置１００は、画像読取装置２００で読み取った帳票１の全体が含まれないイメージデータに含まれる帳票途中領域に対し、画像補完処理部１０８において予め設定された規定サイズの領域になるよう補完処理を行っていたが、図１１に示すように帳票処理装置１００を操作するオペレータに罫線の特徴を認識処理すべき領域を入力部１０５を介して指定させ、指定に基づく領域に対して補完処理を行うという構成にしてもよい。上記構成により、罫線パタン画像生成部１０９は、認識処理すべき領域のみの罫線パタンを抽出することができるので、これにより帳票処理装置１００の帳票形式の識別性能を向上することができる。
【００８２】
また、本実施例では、帳票処理装置１００は、登録罫線特徴情報ＤＢ１１１に罫線特徴情報を登録するために、画像読取装置２００からの登録用の帳票１のイメージデータの取得から実行したが、罫線特徴情報生成部１１０で罫線特徴情報を生成した後に該罫線特徴情報を装置本体のある記憶領域に保存し、その後、この記憶領域に保存された罫線特徴情報のみを読み込み、該罫線特徴情報を登録罫線特徴情報ＤＢ１１１に登録する構成にしてもよい。
【００８３】
更に、本実施例では、イメージデータに帳票１の全体が含まれているか否かの判定として、帳票処理装置１００のはみ出し判定部１０７がイメージデータの画像端に白画素が存在するか否かに基づいてはみ出しの有無の判定処理を行っていたが、該イメージデータ内に予め設定した閾値以上の白画素が存在すると、はみ出し有りと判定するという構成にしてもよい。
【００８４】
そして、本実施例の帳票処理装置１００のはみ出し判定部１０７の上記構成に代え、帳票処理装置１００を操作するオペレータが表示部１０４に備えるディスプレイに表示されたイメージデータを参照して、目視ではみ出し判定を行い、判定結果を入力部１０５を介して入力するという構成にしてもよい。
【産業上の利用可能性】
【００８５】
前記した実施例では、本発明の実施例の帳票処理装置を金融機関に導入した場合を例に説明したが、本発明は、罫線を有する帳票のイメージデータを罫線の特徴に基づいて識別する場合に適用できるので、金融機関での使用に限定されない。
【図面の簡単な説明】
【００８６】
【図１】本発明に係る実施例の帳票処理装置の構成を示すブロック図である。
【図２】本発明に係る実施例の横に長い帳票と画像読取装置の撮影領域との関係を示す図である。
【図３】本発明に係る実施例の帳票の全体が含まれないイメージデータを示す図である。
【図４】本発明に係る実施例の帳票途中領域の構成を示す図である。
【図５】本発明に係る実施例の補完領域の構成を示す図である。
【図６】本発明に係る実施例の補完帳票領域の構成を示す図である。
【図７】本発明に係る実施例の帳票処理装置の帳票形式登録処理時の動作を示すフローチャート（その１）である。
【図８】本発明に係る実施例の帳票処理装置の帳票形式登録処理時の動作を示すフローチャート（その２）である。
【図９】本発明に係る実施例の帳票処理装置の帳票形式認識処理時の動作を示すフローチャート（その１）である。
【図１０】本発明に係る実施例の帳票処理装置の帳票形式認識処理時の動作を示すフローチャート（その２）である。
【図１１】本発明に係る変形例の説明に用いる図である。
【符号の説明】
【００８７】
１  帳票
１０  ネットワーク
１００  帳票処理装置
１０１  通信部
１０２  制御部
１０３  一時記憶部
１０４  表示部
１０５  入力部
１０６  イメージデータ記憶部
１０７  はみ出し判定部
１０８  画像補完処理部
１０９  罫線パタン画像生成部
１１０  罫線特徴情報生成部
１１１  登録罫線特徴情報ＤＢ
１１２  登録罫線特徴情報管理部
１１３  帳票形式判定部
２００  画像読取装置
【図１】
2008250425.tif 000003
【図２】
2008250425.tif 000004
【図３】
2008250425.tif 000005
【図４】
2008250425.tif 000006
【図５】
2008250425.tif 000007
【図６】
2008250425.tif 000008
【図７】
2008250425.tif 000009
【図８】
2008250425.tif 000010
【図９】
2008250425.tif 000011
【図１０】
2008250425.tif 000012
【図１１】
2008250425.tif 000013